(57)【要約】【課題】携帯端末装置において、解像度よくＷｅｂページを表示させると共に、ユーザからの入力を簡便に受け付けられる方法を提供すること。【解決手段】管理サーバ２０が、Ｗｅｂページに関するページデータをコンテンツサーバ３０から受信し、受信したページデータに基づいて、Ｗｅｂページの画像データを生成し、更に、ページデータに含まれるタグデータを抽出し、当該タグデータに対応する画像データにおける位置を示す位置データを生成する。そして、携帯端末装置１０が、画像データ、タグデータ、および位置データを管理サーバ２０から受信して表示し、ユーザから、位置データに対応する位置を指し示す入力を受け付けたことに応じて、タグデータの表すインタフェース処理を実行する。【選択図】図３
2010039675.tif 000002
【特許請求の範囲】
【請求項１】
通信回線により接続された携帯端末装置において、ネットワーク上のコンテンツサーバが記憶するＷｅｂページを表示させる管理サーバであって、
前記携帯端末装置から、前記Ｗｅｂページの閲覧要求データを受信する手段と、
前記Ｗｅｂページに関するページデータを前記コンテンツサーバから受信する手段と、
受信した前記ページデータに基づいて、前記Ｗｅｂページの画像データを生成する手段と、
前記ページデータに含まれるタグデータを抽出し、当該タグデータに対応する前記画像データにおける位置を示す位置データを生成する手段と、
前記画像データ、前記タグデータ、および前記位置データを前記携帯端末装置に送信する手段と、
前記画像データを表示させ、前記携帯端末装置のユーザから、前記位置データに対応する位置を指し示す入力を受け付けたことに応じて、前記タグデータの表すインタフェース処理を実行させるプログラムを、前記携帯端末装置に送信する手段と、を備える管理サーバ。
【請求項２】
前記閲覧要求データの受信とは非同期に複数の前記Ｗｅｂページを参照し、予め前記画像データ、前記タグデータ、および前記位置データを記憶する手段を更に含む請求項１に記載の管理サーバ。
【請求項３】
通信回線により管理サーバと接続され、ネットワーク上のコンテンツサーバが記憶するＷｅｂページを表示する携帯端末装置であって、
前記Ｗｅｂページの閲覧要求データを前記管理サーバに送信する手段と、
前記管理サーバが生成する、前記Ｗｅｂページの画像データ、前記Ｗｅｂページに関するページデータに含まれるタグデータ、および当該タグデータに対応する前記画像データにおける位置を示す位置データを受信する手段と、
受信した前記画像データを表示する手段と、
ユーザから、前記位置データに対応する位置を指し示す入力を受け付けたことに応じて、前記タグデータの表すインタフェース処理を実行する手段と、を備える携帯端末装置。
【請求項４】
前記タグデータがリンクを含む場合に、前記インタフェース処理は、前記リンクの示す新たなＷｅｂページの閲覧要求データを前記管理サーバに送信することを特徴とする請求項３に記載の携帯端末装置。
【請求項５】
前記タグデータが入力項目を含む場合に、前記インタフェース処理は、前記タグデータに基づく入力項目を表示し、前記ユーザからの入力を受け付けることを特徴とする請求項３または請求項４に記載の携帯端末装置。
【請求項６】
前記ユーザから、前記画像データにおける位置の特定をする入力を受け付ける手段と、
前記画像データにおける、前記特定をした位置を含む所定の範囲を拡大した画像を表示する手段と、を更に備える請求項３から請求項５のいずれかに記載の携帯端末装置。
【請求項７】
前記ユーザからの入力に応じて、前記画像データを変形して表示する手段を更に備える請求項３から請求項６のいずれかに記載の携帯端末装置。
【請求項８】
通信回線により管理サーバと接続された携帯端末装置が、ネットワーク上のコンテンツサーバが記憶するＷｅｂページを表示するプログラムであって、
前記Ｗｅｂページの閲覧要求データを前記管理サーバに送信するステップと、
前記管理サーバが生成する、前記Ｗｅｂページの画像データ、前記Ｗｅｂページに関するページデータに含まれるタグデータ、および当該タグデータに対応する前記画像データにおける位置を示す位置データを受信するステップと、
受信した前記画像データを表示するステップと、
ユーザから、前記位置データに対応する位置を指し示す入力を受け付けたことに応じて、前記タグデータの表すインタフェース処理を実行するステップと、を実行させるプログラム。
【請求項９】
前記タグデータがリンクを含む場合に、前記インタフェース処理は、前記リンクの示す新たなＷｅｂページの閲覧要求データを前記管理サーバに送信することを特徴とする請求項８に記載のプログラム。
【請求項１０】
前記タグデータが入力項目を含む場合に、前記インタフェース処理は、前記タグデータに基づく入力項目を表示し、前記ユーザからの入力を受け付けることを特徴とする請求項８または請求項９に記載のプログラム。
【請求項１１】
前記ユーザから、前記画像データにおける位置の特定をする入力を受け付けるステップと、
前記画像データにおける、前記特定をした位置を含む所定の範囲を拡大した画像を表示するステップと、を更に実行させる請求項８から請求項１０のいずれかに記載のプログラム。
【請求項１２】
前記ユーザからの入力に応じて、前記画像データを変形して表示するステップを更に実行させる請求項８から請求項１１のいずれかに記載のプログラム。
【請求項１３】
通信回線により管理サーバと接続された携帯端末装置において、ネットワーク上のコンテンツサーバが記憶するＷｅｂページを表示する方法であって、
前記管理サーバが、前記携帯端末装置から、前記Ｗｅｂページの閲覧要求データを受信するステップと、
前記管理サーバが、前記Ｗｅｂページに関するページデータを前記コンテンツサーバから受信するステップと、
前記管理サーバが、受信した前記ページデータに基づいて、前記Ｗｅｂページの画像データを生成するステップと、
前記管理サーバが、前記ページデータに含まれるタグデータを抽出し、当該タグデータに対応する前記画像データにおける位置を示す位置データを生成するステップと、
前記携帯端末装置が、前記画像データ、前記タグデータ、および前記位置データを前記管理サーバから受信するステップと、
前記携帯端末装置が、前記画像データを表示するステップと、
前記携帯端末装置のユーザから、前記位置データに対応する位置を指し示す入力を受け付けたことに応じて、前記携帯端末装置が、前記タグデータの表すインタフェース処理を実行するステップと、を含む方法。
【請求項１４】
前記管理サーバが、前記閲覧要求データの受信とは非同期に複数の前記Ｗｅｂページを参照し、予め前記画像データ、前記タグデータ、および前記位置データを記憶するステップを更に含む請求項１３に記載の方法。
【請求項１５】
前記タグデータがリンクを含む場合に、前記インタフェース処理は、前記リンクの示す新たなＷｅｂページの閲覧要求データを前記管理サーバに送信することを特徴とする請求項１３または請求項１４に記載の方法。
【請求項１６】
前記タグデータが入力項目を含む場合に、前記インタフェース処理は、前記タグデータに基づく入力項目を表示し、前記ユーザからの入力を受け付けることを特徴とする請求項１３から請求項１５のいずれかに記載の方法。
【請求項１７】
前記携帯端末装置が、前記ユーザから、前記画像データにおける位置の特定をする入力を受け付けるステップと、
前記携帯端末装置が、前記画像データにおける、前記特定をした位置を含む所定の範囲を拡大した画像を表示するステップと、を更に含む請求項１３から請求項１６のいずれかに記載の方法。
【請求項１８】
前記携帯端末装置が、前記ユーザからの入力に応じて、前記画像データを変形して表示するステップを更に含む請求項１３から請求項１７のいずれかに記載の方法。
【発明の詳細な説明】
【技術分野】
【０００１】
本発明は、Ｗｅｂページを表示するための方法、サーバ、端末装置、およびプログラムに関する。
【背景技術】
【０００２】
従来、インターネット上で閲覧可能なＷｅｂページは、ブラウザと呼ばれるソフトウェアによってレイアウトされた画面表示がなされている。近年では、ブラウザの種類の増加に伴い、Ｗｅｂページを表示可能な端末装置は多岐にわたり、特に、携帯電話やＰＤＡ（Ｐｅｒｓｏｎａｌ  Ｄｉｇｉｔａｌ  Ａｓｓｉｓｔａｎｔｓ）等の携帯端末装置においても、その高性能化により、Ｗｅｂページの閲覧が可能となってきている。
【０００３】
このような状況において、ＰＣ（Ｐｅｒｓｏｎａｌ  Ｃｏｍｐｕｔｅｒ）等に比べて解像度の低い小型ディスプレイにＷｅｂページを表示させるブラウザも利用されている。更には、特許文献１のように、ブラウザを備えていない画像表示端末においても、Ｗｅｂページを表示させるシステムも提案されている。このシステムでは、Ｗｅｂページを画像データに変換することにより画面表示を可能とし、ＨＴＭＬ（ＨｙｐｅｒＴｅｘｔ  Ｍａｒｋｕｐ  Ｌａｎｇｕａｇｅ）変換情報に基づいてユーザ入力を受け付ける。
【特許文献１】特開２００４−２４６５６５号公報
【発明の開示】
【発明が解決しようとする課題】
【０００４】
従来のブラウザによれば、小型のディスプレイを備えた携帯端末装置では、その解像度の制約から、ＰＣ等の高解像度ディスプレイで表示した場合とはＷｅｂページのレイアウトが異なる。また、十分な解像度を備えている場合であっても、内蔵するフォントを利用するという制約から、ディスプレイの性能を十分に利用することができないため、レイアウトの調整を余儀なくされ、本来の意図されたレイアウトとは異なった視認性の低い表示となる可能性がある。
【０００５】
そこで、上述の特許文献１の技術等を携帯端末装置に応用すれば、Ｗｅｂページを画像データに変換することにより、レイアウトを保持したまま表示することも可能である。
【０００６】
しかしながら、多様化したＷｅｂページでは、リンクを始め、テキストボックスやラジオボタン等、ユーザからの入力を受け付けるタグデータが含まれている。このような場合、画像データを表示するのみでは、本来のユーザインタフェースの手段が欠けることとなる。
【０００７】
そのため、画像データの表示手段とは別に、ユーザからの入力を受け付ける手段が必要になるが、表示手段とは分離されるため、ユーザの操作性が損なわれる可能性がある。それ故、ユーザによる入力方法は、タグデータが意図する本来の態様と同等であることが望まれる。
【０００８】
そこで本発明は、携帯端末装置において、解像度よくＷｅｂページを表示させると共に、ユーザからの入力を簡便に受け付けられる方法を提供することを目的とする。
【課題を解決するための手段】
【０００９】
上記目的のため、具体的には、以下のようなものを提供する。
【００１０】
（１）  通信回線により接続された携帯端末装置において、ネットワーク上のコンテンツサーバが記憶するＷｅｂページを表示させる管理サーバであって、
前記携帯端末装置から、前記Ｗｅｂページの閲覧要求データを受信する手段と、
前記Ｗｅｂページに関するページデータを前記コンテンツサーバから受信する手段と、
受信した前記ページデータに基づいて、前記Ｗｅｂページの画像データを生成する手段と、
前記ページデータに含まれるタグデータを抽出し、当該タグデータに対応する前記画像データにおける位置を示す位置データを生成する手段と、
前記画像データ、前記タグデータ、および前記位置データを前記携帯端末装置に送信する手段と、
前記画像データを表示させ、前記携帯端末装置のユーザから、前記位置データに対応する位置を指し示す入力を受け付けたことに応じて、前記タグデータの表すインタフェース処理を実行させるプログラムを、前記携帯端末装置に送信する手段と、を備える管理サーバ。
【００１１】
このような構成によれば、当該管理サーバが、前記携帯端末装置から、前記Ｗｅｂページの閲覧要求データを受信し、前記Ｗｅｂページに関するページデータを前記コンテンツサーバから受信し、受信した前記ページデータに基づいて、前記Ｗｅｂページの画像データを生成し、前記ページデータに含まれるタグデータを抽出し、当該タグデータに対応する前記画像データにおける位置を示す位置データを生成する。そして、前記携帯端末装置が、前記画像データ、前記タグデータ、および前記位置データを前記管理サーバから受信して表示し、前記携帯端末装置のユーザから、前記位置データに対応する位置を指し示す入力を受け付けたことに応じて、前記タグデータの表すインタフェース処理を実行する。
【００１２】
このことにより、前記携帯端末装置において、画像データに変換されたＷｅｂページを表示するので、内蔵フォント等の制約を受けることなく、レイアウトを保持したまま解像度の高いＷｅｂページを表示することができる。
【００１３】
更に、前記携帯端末装置は、ユーザが画像データ上で位置を指定することにより、対応するタグデータの表すユーザインタフェース処理（例えば、リンクに従ったページ遷移、テキストボックスの表示等）を実行するので、Ｗｅｂページに関連する入力操作を画面表示に連動して行うことができ、良好な操作性を実現することができる。
【００１４】
なお、位置の指定は、画面上でポインタを移動させることにより行ってもよいし、あるいは、タグデータの存在する位置を、ユーザの指示に応じて順に指し示すように構成してもよい。
【００１５】
（２）  前記閲覧要求データの受信とは非同期に複数の前記Ｗｅｂページを参照し、予め前記画像データ、前記タグデータ、および前記位置データを記憶する手段を更に含む（１）に記載の管理サーバ。
【００１６】
このような構成によれば、当該管理サーバが、予め複数のＷｅｂページを巡回して、画像データ、タグデータ、および位置データを記憶しておく。このことにより、当該管理サーバは、携帯端末装置からの要求に応じて、即座に必要なデータを送信することができるため、ユーザはストレスなくＷｅｂページの閲覧ができる可能性がある。
【００１７】
なお、Ｗｅｂページの巡回は定期的に行うこととしてよく、同一ページを参照することにより、記憶した各種データを最新の状態に更新することができる。
【００１８】
（３）  通信回線により管理サーバと接続され、ネットワーク上のコンテンツサーバが記憶するＷｅｂページを表示する携帯端末装置であって、
前記Ｗｅｂページの閲覧要求データを前記管理サーバに送信する手段と、
前記管理サーバが生成する、前記Ｗｅｂページの画像データ、前記Ｗｅｂページに関するページデータに含まれるタグデータ、および当該タグデータに対応する前記画像データにおける位置を示す位置データを受信する手段と、
受信した前記画像データを表示する手段と、
ユーザから、前記位置データに対応する位置を指し示す入力を受け付けたことに応じて、前記タグデータの表すインタフェース処理を実行する手段と、を備える携帯端末装置。
【００１９】
このような構成によれば、当該携帯端末装置を使用することにより、（１）と同様の効果が期待できる。
【００２０】
（４）  前記タグデータがリンクを含む場合に、前記インタフェース処理は、前記リンクの示す新たなＷｅｂページの閲覧要求データを前記管理サーバに送信することを特徴とする（３）に記載の携帯端末装置。
【００２１】
このような構成によれば、Ｗｅｂページに含まれるリンクに関して、画像データ上で該当位置を指定することにより、リンク先へのページ遷移が可能となり、当該携帯端末装置は、従来のブラウザによるページ遷移と同様の操作性を提供することができる。
【００２２】
（５）  前記タグデータが入力項目を含む場合に、前記インタフェース処理は、前記タグデータに基づく入力項目を表示し、前記ユーザからの入力を受け付けることを特徴とする（３）または（４）に記載の携帯端末装置。
【００２３】
このような構成によれば、Ｗｅｂページに含まれる入力項目（例えば、テキストボックス、ラジオボタン等）に関して、ユーザが画像データ上で該当位置を指定することにより、当該携帯端末装置は、対応する入力項目を表示するので、ユーザは、画面表示に連動した入力操作を容易に行うことができる。
【００２４】
なお、入力項目は、画像データとは別の領域（例えば、上下に２分割した画面の下部）に表示することとしてもよいし、画像データ上の該当位置に重ねて表示することとしてもよい。
【００２５】
（６）  前記ユーザから、前記画像データにおける位置の特定をする入力を受け付ける手段と、
前記画像データにおける、前記特定をした位置を含む所定の範囲を拡大した画像を表示する手段と、を更に備える（３）から（５）のいずれかに記載の携帯端末装置。
【００２６】
このような構成によれば、当該携帯端末装置が、前記ユーザから、前記画像データにおける位置の特定をする入力を受け付け、前記画像データにおける、前記特定をした位置を含む所定の範囲を拡大した画像を表示する。
【００２７】
このことにより、当該携帯端末装置の小型ディスプレイに表示するために画像が縮小された場合であっても、ユーザが所望する箇所を拡大表示することができる。そのため、文字が読めない等の不都合が解消され、レイアウトを保ったままで視認性の向上が期待できる。
【００２８】
なお、拡大した画像は、元の画像とは分けて表示することとしてもよいし、あるいは、元の画像の該当部分に重ねて表示するようにしてもよい。
【００２９】
（７）  前記ユーザからの入力に応じて、前記画像データを変形して表示する手段を更に備える（３）から（６）のいずれかに記載の携帯端末装置。
【００３０】
このような構成によれば、当該携帯端末装置におけるユーザからの入力に応じて、Ｗｅｂページから生成された画像データの拡大や縮小、あるいは回転といった変形をさせることができる。これにより、ユーザは、自らが視認しやすい表示態様を選択して閲覧することができる。
【００３１】
（８）  通信回線により管理サーバと接続された携帯端末装置が、ネットワーク上のコンテンツサーバが記憶するＷｅｂページを表示するプログラムであって、
前記Ｗｅｂページの閲覧要求データを前記管理サーバに送信するステップと、
前記管理サーバが生成する、前記Ｗｅｂページの画像データ、前記Ｗｅｂページに関するページデータに含まれるタグデータ、および当該タグデータに対応する前記画像データにおける位置を示す位置データを受信するステップと、
受信した前記画像データを表示するステップと、
ユーザから、前記位置データに対応する位置を指し示す入力を受け付けたことに応じて、前記タグデータの表すインタフェース処理を実行するステップと、を実行させるプログラム。
【００３２】
このような構成によれば、当該プログラムを前記携帯端末装置で実行することにより、（１）と同様の効果が期待できる。
【００３３】
（９）  前記タグデータがリンクを含む場合に、前記インタフェース処理は、前記リンクの示す新たなＷｅｂページの閲覧要求データを前記管理サーバに送信することを特徴とする（８）に記載のプログラム。
【００３４】
このような構成によれば、当該プログラムを前記携帯端末装置で実行することにより、（４）と同様の効果が期待できる。
【００３５】
（１０）  前記タグデータが入力項目を含む場合に、前記インタフェース処理は、前記タグデータに基づく入力項目を表示し、前記ユーザからの入力を受け付けることを特徴とする（８）または（９）に記載のプログラム。
【００３６】
このような構成によれば、当該プログラムを前記携帯端末装置で実行することにより、（５）と同様の効果が期待できる。
【００３７】
（１１）  前記ユーザから、前記画像データにおける位置の特定をする入力を受け付けるステップと、
前記画像データにおける、前記特定をした位置を含む所定の範囲を拡大した画像を表示するステップと、を更に実行させる（８）から（１０）のいずれかに記載のプログラム。
【００３８】
このような構成によれば、当該プログラムを前記携帯端末装置で実行することにより、（６）と同様の効果が期待できる。
【００３９】
（１２）  前記ユーザからの入力に応じて、前記画像データを変形して表示するステップを更に実行させる（８）から（１１）のいずれかに記載のプログラム。
【００４０】
このような構成によれば、当該プログラムを前記携帯端末装置で実行することにより、（７）と同様の効果が期待できる。
【００４１】
（１３）  通信回線により管理サーバと接続された携帯端末装置において、ネットワーク上のコンテンツサーバが記憶するＷｅｂページを表示する方法であって、
前記管理サーバが、前記携帯端末装置から、前記Ｗｅｂページの閲覧要求データを受信するステップと、
前記管理サーバが、前記Ｗｅｂページに関するページデータを前記コンテンツサーバから受信するステップと、
前記管理サーバが、受信した前記ページデータに基づいて、前記Ｗｅｂページの画像データを生成するステップと、
前記管理サーバが、前記ページデータに含まれるタグデータを抽出し、当該タグデータに対応する前記画像データにおける位置を示す位置データを生成するステップと、
前記携帯端末装置が、前記画像データ、前記タグデータ、および前記位置データを前記管理サーバから受信するステップと、
前記携帯端末装置が、前記画像データを表示するステップと、
前記携帯端末装置のユーザから、前記位置データに対応する位置を指し示す入力を受け付けたことに応じて、前記携帯端末装置が、前記タグデータの表すインタフェース処理を実行するステップと、を含む方法。
【００４２】
このような構成によれば、当該方法を実行することにより、（１）と同様の効果が期待できる。
【００４３】
（１４）  前記管理サーバが、前記閲覧要求データの受信とは非同期に複数の前記Ｗｅｂページを参照し、予め前記画像データ、前記タグデータ、および前記位置データを記憶するステップを更に含む（１３）に記載の方法。
【００４４】
このような構成によれば、当該方法を実行することにより、（２）と同様の効果が期待できる。
【００４５】
（１５）  前記タグデータがリンクを含む場合に、前記インタフェース処理は、前記リンクの示す新たなＷｅｂページの閲覧要求データを前記管理サーバに送信することを特徴とする（１３）または（１４）に記載の方法。
【００４６】
このような構成によれば、当該方法を実行することにより、（４）と同様の効果が期待できる。
【００４７】
（１６）  前記タグデータが入力項目を含む場合に、前記インタフェース処理は、前記タグデータに基づく入力項目を表示し、前記ユーザからの入力を受け付けることを特徴とする（１３）から（１５）のいずれかに記載の方法。
【００４８】
このような構成によれば、当該方法を実行することにより、（５）と同様の効果が期待できる。
【００４９】
（１７）  前記携帯端末装置が、前記ユーザから、前記画像データにおける位置の特定をする入力を受け付けるステップと、
前記携帯端末装置が、前記画像データにおける、前記特定をした位置を含む所定の範囲を拡大した画像を表示するステップと、を更に含む（１３）から（１６）のいずれかに記載の方法。
【００５０】
このような構成によれば、当該方法を実行することにより、（６）と同様の効果が期待できる。
【００５１】
（１８）  前記携帯端末装置が、前記ユーザからの入力に応じて、前記画像データを変形して表示するステップを更に含む（１３）から（１７）のいずれかに記載の方法。
【００５２】
このような構成によれば、当該方法を実行することにより、（７）と同様の効果が期待できる。
【発明の効果】
【００５３】
本発明によれば、携帯端末装置において、解像度よくＷｅｂページを表示させると共に、ユーザからの入力を簡便に受け付けられる方法を提供することができる。
【発明を実施するための最良の形態】
【００５４】
本発明に係る好適な実施形態の一例について、図面に基づいて以下に説明する。
【００５５】
［システムの全体構成］
図１は、本発明の好適な実施形態の一例に係るＷｅｂ閲覧システムの全体構成を示す概略図である。
【００５６】
コンテンツサーバ３０にて管理される各種コンテンツデータ（Ｗｅｂページデータ）は、通常、ネットワークを介して接続された携帯端末装置１０やＰＣ１５等からブラウザにより閲覧される。
【００５７】
本実施形態では、携帯端末装置１０は、管理サーバ２０がページデータに基づいて生成した各種データ（画像データ、タグデータ、位置データ）を受信する。そして、携帯端末装置１０は、受信した各種データにより、ディスプレイへの表示およびユーザインタフェース処理を行う（詳細は後述する）。このことにより、携帯端末装置１０は、ＰＣ１５にて閲覧する場合と同等のレイアウトによるＷｅｂ閲覧を実現する。
【００５８】
［装置の構成］
図２は、本発明の好適な実施形態の一例に係るＷｅｂ閲覧システムを構成する装置（携帯端末装置１０、ＰＣ１５、管理サーバ２０、およびコンテンツサーバ３０）の構成を示すブロック図である。
【００５９】
上述の各装置（携帯端末装置１０、ＰＣ１５、管理サーバ２０、およびコンテンツサーバ３０）は、それぞれ同様の構成を備えており、制御部１１０、記憶部１２０、入力部１３０、表示部１４０、通信制御部１５０は、バス１６０を介して接続されている。
【００６０】
制御部１１０は、情報の演算、処理を行う情報演算処理装置（ＣＰＵ）であり、当該コンピュータ全体の制御を行う。携帯端末装置１０および管理サーバ２０の制御部１１０は、記憶部１２０に記憶された各種プログラムを適宜読み出して実行することにより、上述のハードウェアと協働し、本発明に係る各種機能を実現している。
【００６１】
記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、磁気テープ、磁気ディスク、ランダム・アクセス・メモリ（ＲＡＭ）、リードオンリー・メモリ（ＲＯＭ）、光ディスク等が含まれる。
【００６２】
管理サーバ２０の記憶部１２０は、各種機能を実現するプログラムと共に、Ｗｅｂページの閲覧に使用される各種データ（画像データ、タグデータ、位置データ）を記憶する。携帯端末装置１０の記憶部１２０は、これら各種データを受信し、ディスプレイへの表示およびユーザインタフェース処理を行うプログラムを記憶する。なお、携帯端末装置１０のプログラムは、管理サーバ２０の記憶部１２０に予め記憶し、適宜受信して使用することとしてもよい。
【００６３】
入力部１３０は、ユーザによる入力の受け付けを行うものであり、キーボード、ポインティング・デバイス等を含んでよい。入力部１３０は、直接または介在Ｉ／Ｏコントローラを介して当該コンピュータと接続することができる。携帯端末装置１０の入力部１３０は、主にボタン群から構成され、押下操作を受け付けることにより、後述する画像上の位置決めやデータ入力を行う。
【００６４】
表示部１４０は、ユーザにデータの入力を受け付ける画面を表示したり、当該コンピュータによる演算処理結果の画面を表示したりするものであり、ブラウン管表示装置（ＣＲＴ）、液晶表示装置（ＬＣＤ）等のディスプレイ装置を含む。表示部１４０は、直接または介在Ｉ／Ｏコントローラを介して当該コンピュータと接続することができる。本実施形態におけるＷｅｂページの表示は、携帯端末装置１０の表示部１４０に対して行う。
【００６５】
通信制御部１５０は、当該コンピュータを専用ネットワークまたは公共ネットワークを介して別の演算処理システムまたは記憶装置と接続できるようにするためのネットワーク・アダプタである。通信制御部１５０は、モデム、ケーブルモデムおよびイーサネット（登録商標）・アダプタを含んでよい。
【００６６】
なお、携帯端末装置１０は、無線により所定の基地局と通信し、当該基地局を介して、ネットワークに接続される。
【００６７】
［メイン処理］
図３は、本発明の好適な実施形態の一例に係るＷｅｂ閲覧システムにおける処理の流れを示す図である。
【００６８】
ステップＳ１０５では、携帯端末装置１０は、管理サーバ２０にＷｅｂページの閲覧要求データを送信する。具体的には、所望するＷｅｂページのＵＲＬデータを送信することにより、管理サーバ２０は、該当するコンテンツ（Ｗｅｂページ）を特定する。
【００６９】
ステップＳ１１０では、管理サーバ２０は、ステップＳ１０５にて受信した閲覧要求データ（ＵＲＬデータ）に基づき、コンテンツサーバ３０から該当するＷｅｂページのページデータを受信する。受信するページデータはＨＴＭＬデータであってよく、ユーザインタフェースを実現するためのリンクや入力項目等のタグデータが含まれる。
【００７０】
ステップＳ１１５では、管理サーバ２０は、受信したページデータから画像データを生成する。具体的には、所定のサイズのブラウザによってページデータからレイアウトされるＷｅｂページのイメージを画像として生成する。これにより、携帯端末装置１０は、ページデータ（ＨＴＭＬテキスト）を解釈することなく、画像表示によりＷｅｂページを閲覧させることができる。
【００７１】
ここで、生成した画像データは、例えば図５に示す画像データテーブルと共に記憶することとしてよく、ＷｅｂページのＵＲＬ（ページフィールド）ごとに、画像データの生成日時（日時フィールド）と対応付けて画像データのファイル名（画像フィールド）を記憶する。同一ページの画像データを生成した場合には、日付フィールドを更新し、いつの時点でのデータであるかを記憶する。
【００７２】
ステップＳ１２０では、管理サーバ２０は、ページデータに含まれるタグデータを抽出する。具体的には、画像に変換したことにより、本来のユーザインタフェース機能がなくなるリンクや入力項目等を抽出する。
【００７３】
ステップＳ１２５では、管理サーバ２０は、ステップＳ１２０にて抽出したタグデータの、ステップＳ１１５にて生成した画像データ上での位置を表す位置データを生成する。この位置データは、後述するユーザインタフェース処理（ステップＳ１４０）にて、ユーザが該当する項目を選択可能な領域を示している。
【００７４】
ここで、タグデータおよび位置データは、例えば図６に示すタグテーブルに関連付けて記憶する。タグテーブルには、ＷｅｂページのＵＲＬ（ページフィールド）ごとに、当該Ｗｅｂページに含まれるタグデータと、各タグデータに対応する位置データを記憶する。これにより、後述する処理にてユーザが位置データに示す領域内を指示することにより、対応するタグデータを抽出することができる。
【００７５】
ステップＳ１３０では、管理サーバ２０は、携帯端末装置１０に対して、Ｗｅｂページの表示と、その関連処理に必要となる、画像データ、タグデータ、および位置データを送信する。
【００７６】
ステップＳ１３５では、携帯端末装置１０は、Ｗｅｂページを表す画像を表示する。具体的には、ステップＳ１３０にて受信した画像データを、携帯端末装置１０のディスプレイに表示することにより、閲覧要求に対応するＷｅｂページから生成された画像をユーザに提示することができる。
【００７７】
ステップＳ１４０では、携帯端末装置１０は、Ｗｅｂページに含まれるタグデータに関するユーザインタフェース処理を行う。詳細は後述（図４）するが、ステップＳ１３０にて受信した閲覧用データに基づき、ユーザからの入力を受け付ける。
【００７８】
［ユーザインタフェース処理］
図４は、本発明の好適な実施形態の一例に係るＷｅｂ閲覧システムにおけるユーザインタフェース処理の流れを示す図である。本処理は、メイン処理（図３）のステップＳ１４０に相当する。
【００７９】
ステップＳ２０５では、携帯端末装置１０は、ユーザから、Ｗｅｂページの内容に関する指示入力を受け付ける。具体的には、例えば、画面上にポインタを表示し、当該ポインタの移動および決定入力（所定のボタンの押下等）を受け付ける。あるいは、移動指示入力に応じて、タグデータの存在する箇所を順にカーソル移動させることとしてもよい。
【００８０】
ステップＳ２１０およびステップＳ２１５では、携帯端末装置１０は、ステップＳ２０５にて受け付けた指示入力に対応するタグデータの種類を判別する。具体的には、まず、指示入力を受け付けた画像上の位置に基づいて、タグテーブル（図６）を検索し、当該位置を含む領域に対応するタグデータを抽出する。続いて、タグデータに記述された内容に従い、各種処理を実行する。
【００８１】
例えば、タグデータがリンクである場合（ステップＳ２１０にてＹＥＳと判別した場合）には、新たなＷｅｂページへの遷移を表しているため、メイン処理（図３）のステップＳ１０５に処理を戻し、閲覧要求を行う。
【００８２】
また、タグデータが入力項目（例えば、テキストフィールド、ラジオボタン等）である場合（ステップＳ２１５にてＹＥＳと判別した場合）には、ステップＳ２２０に処理を移し、ユーザからの入力を受け付けるための処理を行う。
【００８３】
ステップＳ２２０では、携帯端末装置１０は、ユーザからの入力を受け付けるための入力項目の表示をする。具体的には、例えば後述の図８または図９に示す画面例のように、画像データとは別に入力項目を表示することにより、Ｗｅｂページを画像データに変換したことにより失われたユーザインタフェース機能を補完する。
【００８４】
ステップＳ２２５では、携帯端末装置１０は、ステップＳ２２０にて表示した入力項目に対するユーザからの入力を受け付ける。
【００８５】
ステップＳ２３０では、携帯端末装置１０は、ステップＳ２２５にて受け付けた入力データに基づき、Ｗｅｂページの画像を再表示する。具体的には、例えば、受け付けた入力データを管理サーバ２０に送信することにより、管理サーバ２０が当該入力データを反映した画像データを生成し、携帯端末装置１０に送信する。これにより、携帯端末装置１０は、ユーザ入力を反映した新たなＷｅｂページ画像を表示することができる。
【００８６】
ステップＳ２３５では、携帯端末装置１０は、Ｗｅｂページの閲覧を終了するか否かを判別する。具体的には、ユーザから終了を示す入力を受け付けたことに応じて、本処理フローを終了する。終了しない場合には、ステップＳ２０５に処理を移し、ユーザ入力を継続する。
【００８７】
本処理フローでは、タグデータとして、リンクとテキストフィールド等の入力項目について説明したが、対象はこれには限られず、例えばボタン等、ユーザの操作を受け付ける項目を対象として扱うことができる。
【００８８】
なお、このユーザインタフェース処理は、携帯端末装置１０の記憶部１２０に格納されたプログラムに従って実行するが、このプログラムは、予め記憶しておいてもよいし、Ｗｅｂページの閲覧要求に応じて、管理サーバ２０から受信することとしてもよい。
【００８９】
［ＰＣにおける表示例］
図７は、本発明の好適な実施形態の一例に係るＷｅｂ画面の表示例を示す図である。この例は、十分な画面サイズを有するＰＣ１５等でブラウザにより表示したものであり、前述の画像データ生成の際に基準となるレイアウトとする。
【００９０】
ＰＣ１５のように十分な表示サイズを有する場合には、ページデータ（ＨＴＭＬ）が示す通りに、ユーザインタフェースを備えた画面表示を行う。本実施形態では、表示態様を画像データとして生成し、携帯端末装置１０において、後述（図８、９、１０）のようなユーザインタフェース機能を付加する。これにより、ＰＣ１５と同様の操作性を実現する。
【００９１】
［携帯端末装置における表示例］
図８、９、１０は、本発明の好適な実施形態の一例に係る携帯端末装置１０におけるＷｅｂ画面の表示例を示す図である。
【００９２】
図８の例では、携帯端末装置１０は、ポインタ４１をＷｅｂページの画像に重ねて表示している。ポインタ４１は、携帯端末装置１０の入力部１３０からの入力（所定のボタンの押下やホイール操作等）により移動させる。
【００９３】
なお、ポインタ４１の態様はこれに限られず、例えば、入力操作に従って、前述のタグデータに対応する位置データの示す領域を順に強調表示（枠の表示等）することにしてもよい。
【００９４】
テキストフィールド画像４２の描かれている領域にポインタ４１を移動させ、決定入力（所定のボタンの押下等）を受け付けることにより、実際にユーザからの入力を受け付けるためのテキストフィールド４３を表示させる。そして、例えば、テキストフィールド４３への入力を受け付けることにより、管理サーバ２０にて画像データを再生成し、画面表示を更新することもできる。
【００９５】
図９の例では、入力項目の表示方法の別形態として、テキストフィールド４３を、画像の該当箇所に重ねて表示している。これにより、Ｗｅｂページを表す画像から注視点を移動させることなく、入力操作を受け付けることができる。
【００９６】
これらのユーザインタフェースは、ラジオボタンやチェックボックス等、他の入力項目についても同様である。これにより、画像への変換により失われたユーザインタフェース機能を補完し、ＰＣ１５等と同様の操作性を提供することができる。
【００９７】
図１０の例では、ポインタ４１の示す箇所の周辺を拡大表示している。携帯端末装置１０においてＷｅｂページの画像を表示する場合、ＰＣ１５に比べて小さな表示となるため、この処理によりユーザの視認性を向上させることができる。
【００９８】
また、図示しないが、Ｗｅｂページを画像データとして表示していることから、ユーザからの要求に応じて、画像データに拡大、縮小、回転といった変形を施して表示することもできる。このことにより、Ｗｅｂページの内容によっては、ユーザの視認性をより向上できる可能性がある。
【００９９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１００】
【図１】本発明の好適な実施形態の一例に係るＷｅｂ閲覧システムの全体構成を示す概略図である。
【図２】本発明の好適な実施形態の一例に係るＷｅｂ閲覧システムを構成する装置の構成を示すブロック図である。
【図３】本発明の好適な実施形態の一例に係るＷｅｂ閲覧システムにおける処理の流れを示す図である。
【図４】本発明の好適な実施形態の一例に係るＷｅｂ閲覧システムにおけるユーザインタフェース処理の流れを示す図である。
【図５】本発明の好適な実施形態の一例に係る画像データテーブルを示す図である。
【図６】本発明の好適な実施形態の一例に係るタグテーブルを示す図である。
【図７】本発明の好適な実施形態の一例に係るＷｅｂ画面の表示例を示す図である。
【図８】本発明の好適な実施形態の一例に係る携帯端末装置１０におけるＷｅｂ画面の表示例を示す図である。
【図９】本発明の好適な実施形態の一例に係る携帯端末装置１０におけるＷｅｂ画面の表示例を示す図である。
【図１０】本発明の好適な実施形態の一例に係る携帯端末装置１０におけるＷｅｂ画面の表示例を示す図である。
【符号の説明】
【０１０１】
１０    携帯端末装置
１５    ＰＣ
２０    管理サーバ
３０    コンテンツサーバ
４１    ポインタ
４２    テキストフィールド
４３    テキストフィールド画像
１１０  制御部
１２０  記憶部
１３０  入力部
１４０  表示部
１５０  通信制御部
１６０  バス
【図１】
2010039675.tif 000003
【図２】
2010039675.tif 000004
【図３】
2010039675.tif 000005
【図４】
2010039675.tif 000006
【図５】
2010039675.tif 000007
【図６】
2010039675.tif 000008
【図７】
2010039675.tif 000009
【図８】
2010039675.tif 000010
【図９】
2010039675.tif 000011
【図１０】
2010039675.tif 000012